(57)【要約】【課題】ポンプを含む電気機器を必要とせずに、透析液を再生するための除水器及びそれを用いた透析液再生システムを提供することを目的とする。【解決手段】使用済みの透析液５１から水の一部分を除去するための除水器１０であって、使用済み透析液５１を流通させるための第１の区画１１と、半透膜１３によって当該第１の区画１１から離隔された第２の区画１２と、を有するケーシング１４と、前記第２の区画内１２に保持され、前記使用済み透析液５１から前記半透膜１３を通して前記水の一部分を除去するための水溶液１５であって、前記半透膜１３の分画分子量の１．５倍以上の分子量を有する高分子化合物を含有する水溶液１５と、を含んでいる。【選択図】図１
2015205092.tif 000002
【特許請求の範囲】
【請求項１】
使用済みの透析液から水の一部分を除去するための除水器であって、
使用済み透析液を流通させるための第１の区画と、半透膜によって当該第１の区画から離隔された第２の区画と、を有するケーシングと、
前記第２の区画内に保持され、前記使用済み透析液から前記半透膜を通して前記水の一部分を除去するための水溶液であって、前記半透膜の分画分子量の１．５倍以上の分子量を有する高分子化合物を含有する除水用の水溶液と、を含む除水器。
【請求項２】
前記分画分子量が１００００〜１３０００であり、
前記高分子化合物は、ポリエチレングリコール、ポリビニルピロリドン、ポリエチレンオキサイド、アクリル酸系ポリマー、多糖類、ムコ多糖類及び生物由来の蛋白質から選択される少なくとも１種であることを特徴とする請求項１に記載の除水器。
【請求項３】
前記水溶液の高分子化合物濃度が、10〜30重量％であることを特徴とする請求項１又は２に記載の除水器。
【請求項４】
前記水溶液は、さらにカリウム除去剤を含有することを特徴とする請求項１〜３のいずれか１項に記載の除水器。
【請求項５】
請求項１〜４のいずれか１項に記載の除水器を準備すること、
前記除水器の第１の区画に使用済みの透析液を連続的に供給し、前記透析液中の水の一部分を、半透膜を通して、前記除水器の第２の区画内に保持された水溶液に移動させること、及び
前記第１の区画から、除水済みの透析液を連続的に排出すること、を含む使用済み透析液から水の一部分を除去する方法。
【請求項６】
前記第１の区画に流通する前記透析液の流量が10〜30ｍｌ／分であることを特徴とする請求項５に記載の除水方法。
【請求項７】
使用済みの透析液を再使用するための透析液再生システムであって、
請求項１〜４のいずれか１項に記載の除水器と、
前記除水器で除水された透析液を貯留するためのリザーバーと、
透析領域から流出した使用済み透析液を、前記除水器のケーシングの第１の区画に流入させるための第１のラインと、
前記第１の区画から排出される除水済み透析液を、前記リザーバーに流入させるための第２のラインと、
前記リザーバーから前記除水済み透析液を前記透析領域に流入するための第３のラインと、を含む透析液再生システム。
【請求項８】
前記ケーシングの第２の区画から、使用済みの水溶液を排出するための第４のラインと、
前記第２の区画に未使用の水溶液を注入するための第５のラインと、
前記第５のラインに接続され、前記未使用の水溶液が充填された１又は２以上のカートリッジと、をさらに含むことを特徴とする請求項７に記載の透析液再生システム。
【請求項９】
さらに、前記リザーバーに貯留された前記除水済み透析液に所定の成分を添加するための成分添加手段を含むことを特徴とする請求項７又は８に記載の透析液再生システム。
【請求項１０】
前記第１のラインから分岐し、前記第１の区画にプライミング液を流入するためのプライミング液流入ラインと、
前記第２のラインから分岐し、前記第１の区画を通過した前記プライミング液を排出するためのプライミング液排出ラインと、をさらに含むことを特徴とする請求項７〜９のいずれか１項に記載の透析液再生システム。
【発明の詳細な説明】
【技術分野】
【０００１】
本発明は、使用済み透析液から水の一部を除去するための除水器及びそれを用いた透析液再生システムに関する。
【背景技術】
【０００２】
腎不全を患った患者では、腎機能の低下により、血液から過剰な水、過剰なカリウム、及びいわゆる毒素（例えば尿素及びクレアチニン等の窒素代謝物）を十分に体外排出できなくなる。そのような患者に対しては、血液中の過剰な水等を人為的に排出させるために、人工透析が行われる。人工透析には、主に、血液透析と腹膜透析がある。
【０００３】
血液透析は、患者の血液をダイアライザーに通過させて行う透析処理である。ダイアライザーでは、血液が流れる血液区画と、透析液が流れる透析液区画とが、半透膜で離隔されている。血液中の過剰な水等は、半透膜を通って透析液側に移動する。ダイアライザーの血液区画を通過した透析処理済み血液はそのまま患者に戻される。血液透析は、透析設備を備えた病院で行う必要がある。
【０００４】
腹膜透析は、人体の腹腔内に透析液を貯留して行う透析処理である。腹腔は、半透膜として機能する腹膜によって囲まれている。腹腔内に透析液を貯留すると、血液中の過剰な水等は、腹膜を通って透析液中に移動する。透析液は、一定期間腹腔内に貯留された後、体外に排出される。
腹膜透析を実施する患者の腹部には、腹腔内と体外とをつなぐカテーテルが埋設されている。腹腔内への透析液の供給及び排出は、そのカテーテルを介して行われる。腹腔内に透析液を供給する場合は、透析液の入った透析液バッグとカテーテルとをチューブでつなぎ、透析液バッグをカテーテルよりも高い位置に配置する。これにより、透析液は自重によって、自然に腹腔内に流入する。一方、腹腔内から使用済み透析液を排出するときは、使用済み透析液を貯留するための排液用バッグとカテーテルとをチューブでつなぎ、排液用バッグをカテーテルよりも低い位置に配置する。これにより、透析液は自重によって、自然に腹腔内から排出される。患者は、自宅で透析処理を行うことができる。
【０００５】
透析処理後の使用済み透析液は、使用前のものに含まれていないカリウムや低分子量の毒素（尿素、クレアチニン等）を含有している。また、使用後の透析液中の水の量は、使用前のものに比べて増加している。そのため、使用済み透析液は再利用できず、廃棄されていた。
【０００６】
一方、腹膜透析の患者は、毎日の透析に使用する透析液を自宅に保管する必要がある。透析液は１日で約８リットル使用するので、数週間〜1か月分の透析液を保管するために、患者は、数十〜数百リットルの透析液を保管できるスペースを自宅に確保する必要がある。
また、大規模地震等の広域災害では、透析液の確保が困難となり、十分な透析処理を行うことができなくなるおそれがある。
これらの問題を解決するために、使用した透析液を廃棄せずに、再生して再使用することが検討されてきた。
【０００７】
使用済みの透析液は、使用前の透析液に比べて、水の量が増加しているために、含まれている糖質の濃度が下がっている結果、浸透圧が低下している。また、使用済みの透析液には、使用前の透析液には含まれていなかったカリウムと毒素が含まれている。よって、使用済み透析液を再生するためには、浸透圧を上昇させるために水の一部を除去し、さらにカリウムと毒素を除去する必要がある。
【０００８】
透析液中の毒素を除去して透析液を再生する方法として、限外ろ過を用いる方法（特許文献１〜２）、毒素を吸着する吸着手段を用いる方法（特許文献３）が知られている。いずれの方法においても、ポンプを含む再生装置を使用する必要がある。
【先行技術文献】
【特許文献】
【０００９】
【特許文献１】特開平１０−８５３２４号公報
【特許文献２】特表２０１１−５０５２０９号公報
【特許文献３】特表２００７−５１６７９３号公報
【発明の概要】
【発明が解決しようとする課題】
【００１０】
限外ろ過等に適したポンプは比較的大型であり、そのようなポンプを含む透析液再生装置も大型になるため、自宅での使用に適していない。そのため、使用済み透析液を自宅で再生するのは現実的ではなく、使用済み透析液は、再生されずに廃棄されていた。
また、大規模災害等のように電源確保が困難な状況では、それらの再生装置は使用できない。
【００１１】
そこで、本発明は、ポンプを含む電気機器を使用せずに、透析液を再生するための除水器及びそれを用いた透析液再生システムを提供することを目的とする。
【課題を解決するための手段】
【００１２】
本発明は、使用済みの透析液からそれに含まれている水の一部分を除去するための除水器であって、
使用済み透析液を流通させるための第１の区画と、半透膜によって当該第１の区画から離隔された第２の区画と、を有するケーシングと、
前記第２の区画内に保持され、前記使用済み透析液から前記半透膜を通して前記水の一部分を除去するための水溶液であって、前記半透膜の分画分子量の１．５倍以上の分子量を有する高分子化合物を含有する水溶液とを含む。
水溶液は、水と、水に溶解した高分子化合物とを含み、必要に応じてカリウム除去剤等を含むことができる。
【００１３】
本発明によれば、第２の区画に除水用の水溶液を保持することにより、使用済みの透析液に対する該水溶液の浸透圧が高くなり、その結果、半透膜で離隔された第１の区画に使用済み透析液を流通させたときに、透析液から水の一部分を水溶液中に移動させること（つまり、透析液の除水）ができる。また、透析液からの除水に伴って、透析液中のカリウム及び毒素も水溶液中に移動させることができる。
なお、本明細書においては、使用済み透析液中の水の一部分が除去され、さらに水の排除に伴ってカリウム及び毒素も除去状態を「再生」と称する。ここで、「水の一部分」とは、例えば腹膜透析によって実質的に増加した水に相当する割合のことを指す。除水量は、例えば水溶液中に溶解した高分子化合物の濃度によって制御することができる。
【００１４】
また、除水用の水溶液中に含まれる高分子化合物の分子量が、半透膜の分画分子量の１．５倍以上であるので、水溶液から透析液への高分子化合物の移動を抑制することができる。これにより、除水の間に透析液中への高分子化合物の移動を抑制し、また除水用の水溶液の浸透圧が急激に低下するのを抑制することができる。
【００１５】
最も好ましい態様の一例としては、本発明は、１００００〜１３０００、例えば１１８００の分画分子量を有する半透膜を備え、重量平均分子量２００００のポリエチレングリコールを溶解した水溶液を第２区画に保持した除水器を提供する。水溶液中のポリエチレングリコール濃度は１０〜３０重量％とすることができ、特に２０重量％であるのが好ましい。水溶液は、さらにカリウム除去剤を含有するのが好ましい。
【発明の効果】
【００１６】
本発明によれば、除水用の水溶液の浸透圧によって、使用済み透析液中から水の一部分を水溶液側に移動させ、それに伴って、使用済み透析液中からカリウム及び毒素も水溶液側に移動させることにより、使用済み透析液を再生するものである。よって、本発明は、従来の再生方法において使用されている限外ろ過を用いないので、限外ろ過で必要とされるポンプを用いることなく、透析液を再生することができる。
【図面の簡単な説明】
【００１７】
【図１】図１は、本願の実施の形態１に係る除水器の模式図である。
【図２】図２は、本願の実施の形態２に係る透析液再生システムの模式図である。
【図３】図３は、図２の部分拡大図である。
【図４】図４は、実施例１の測定結果を示す棒グラフである。
【図５】図５は、実施例２の測定結果を示す折れ線グラフである。
【発明を実施するための形態】
【００１８】
＜実施の形態１＞
以下、図面に基づいて本発明の実施の形態を詳細に説明する。
図１に示す除水器１０は、使用済みの透析液から水の一部分を除去するためのものである。除水器１０は、円筒状のケーシング１４と、中空糸状の半透膜１３とを含んでいる。半透膜１３は、ケーシング１４の内腔に配置されており、その両端は、ケーシング１４の両端から延在する２本のライン（第１のライン２１、第２のライン２２）に接続できる。なお、図１には、理解を容易にするために便宜的に１本の中空糸状半透膜１３を備えた除水器１０を模式的に示しているが、通常、細い中空糸状半透膜を多数備えた除水器１０を用いる。
ケーシング１４は、半透膜によって２つの区画に離隔されている。第１の区画１１は、半透膜１３の内腔から構成されており、ここには使用済み透析液を流通させる。第２の区画１２は、半透膜１３とケーシング１４との間の空間から構成されており、高分子化合物を含有する除水用の水溶液１５が保持されている。この水溶液１５中の高分子化合物の濃度は、使用済み透析液よりも浸透圧が高くなるように調節されている。
【００１９】
この除水器１０の使用時には、使用済み透析液は、第１のライン２１から矢印１１ａに沿って第１の区画１１に流入し、第１の区画１１を通過した後に、除水後の透析液、すなわち再生された透析液５２が、第２のライン２２から矢印１１ｂに沿って流出する。使用済み透析液が第１の区画１１を通過する際に、半透膜１３を介して除水用の水溶液１５が存在すると、使用済み透析液と水溶液１５との浸透圧差により、使用済み透析液中の水の一部分は、半透膜１３を通って水溶液１５に移動する。また、水が移動する際に、使用済み透析液に含まれているカリウム及び半透膜の分画分子量に応じて低分子量の毒素（尿素、クレアチニン等）も半透膜１３を通って水溶液１５に移動する。これにより、使用済み透析液は、水の量が減少し、さらにカリウム及び低分子量の毒素（尿素、クレアチニン等）の含有量も減少する。再生された透析液に含まれる水の量を、使用前の透析液の水の量と同程度にすることにより、再生された透析液の除水能（透析時に血液中から余剰な水を除去する能力）を回復させることができる。また、使用済み透析液から水分の一部分を除去するときに、カリウム及び毒素も共に除去されるので、再生された透析液に含まれるカリウム及び毒素の含有量を低くすることができる（例えばカリウム30mmol/L以下）。そのため、再生された透析液のカリウム及び毒素の除去能（透析時に血液中からカリウム及び毒素等を除去する能力）を回復させることができる。このように、除水器１０を用いることにより、透析液に必要な除水能及びカリウム等の除去能を回復できる（つまり、透析液の再生）。再生された透析液は、再生透析液として再び透析に利用することができるが、再生された透析液の組成に応じて、必要な場合には、再利用に際して成分調整するのが好ましい。
【００２０】
本明細書において「使用済み透析液」とは、腹膜透析では、腹腔から取り出した透析液を意味し、血液透析では、ダイアライザーを通過した後の透析液を意味する。
また、「水の一部分を除去」とは、使用済みの透析液の浸透圧を高めるために、使用済み透析液中の水の量を減らすことである。除去する水の量は、透析によって増加した水の量（使用済み透析液の量−使用前の透析液の量）の約６０〜１００％、好ましくは７０〜１００％とすることにより、透析液の除水能を復活させることができる。
さらに、「高分子化合物を含有する除水用の水溶液」とは、半透膜を通して透析液から水の一部分を除去するための水溶液であり、使用済み透析液よりも浸透圧が高くなるように、高分子化合物の濃度が調節されている。
【００２１】
この除水器１０は浸透圧差を利用して除水しているので、例えば限外ろ過を使用する従来の透析液再生装置とは異なり、ポンプを必要としない。よって、電源確保が困難な状況（例えば大規模災害）等においても、透析液を再生することができる。また、この除水器１０は、一般的な血液透析用ダイアライザーを使用することができ（例えば、直径３〜４ｃｍφ、長さ３０ｃｍ）、限外ろ過を行うのに使用される比較的大きいポンプを使用する従来の透析液再生装置に比べて小型にすることができる。
【００２２】
除水用の水溶液１５の高分子化合物の濃度が下がると、浸透圧が低下するため、使用済み透析液中から水を除去する能力が低下する。使用済み透析液を連続的に再生すると、使用済み透析液中から除去される水によって、水溶液１５の高分子化合物の濃度は徐々に低下する。ここで、高分子化合物が半透膜１３を通過するなら、水溶液１５中の高分子化合物の濃度が低下し、浸透圧も著しく低下することになる。そこで、水溶液１５に溶解させる高分子化合物の分子量（Ｍｗ）を半透膜１３の分画分子量の１．５倍以上とすることにより、高分子化合物が使用済み透析液に移動するのを実質的に防止して、水溶液１５の浸透圧の低下を抑制することができる。
【００２３】
なお、「分画分子量」とは、透析の分野において用いられており、半透膜の細孔径と相関し、分画曲線上の特定の溶質透過阻止率が９０％の分子量を指す。具体例としては、診療報酬上の血液透析器の機能区分において、Ｉ型ダイアライザーは分子量１１８００のβ２マイクログロブリン（β２ＭＧ）のクリアランス値が１０ｍＬ／分未満と低く、β２ＭＧは殆ど通過せずに遮断される。よって、当該ダイアライザーに使用される半透膜の分画分子量は、およそ１１８００と考えることができる。
【００２４】
また「分子量」とは、重量平均分子量（Ｍｗ）であり、以下の方法で算出することができる。…まず、高分子化合物の試料２０ｇを用いて、JIS K 0070（化学製品の酸価、けん化価、エステル価、よう素価、水酸基価及び不けん化価の試験方法）の7.1（中和滴定法）に沿って水酸基価を算出する。得られた水酸基価を用いて、以下の式１で重量平均分子量を求める。
Ａ＝５６１０６／Ｂ×Ｃ・・・（式１）
ここで、
Ａ：平均重量分子量
Ｂ：水酸基価
Ｃ：１分子辺りの水酸基数（ポリエチレングリコールでは２）である。
【００２５】
半透膜１３の分画分子量は、アルブミン等の血漿タンパク成分（分子量約６６０００）が通過しないように、４４０００以下であるのが好ましく、１００００〜３３０００であるのがより好ましく、１００００〜１３０００であるのが特に好ましい。血漿タンパク成分は、腹膜透析の際に血液から透析液中に漏出する成分であり、以下の理由から、再生透析液に残留させるのが望ましい。
血漿タンパク成分は、生体内に含まれるものであるため生体適合性が高く、かつ透析液の浸透圧を高める成分となり得るものである。使用前の透析液は、除水能を付与するために、所定濃度の糖質を含有しているが、糖質の一部は、腹膜透析の際に透析液から体内に吸収され得るといわれ、その場合、透析液の浸透圧が低下する。そのため、透析液の除水能を回復するためには、除水のみならず、糖質の添加が必要となり得る。しかしながら、再生透析液中に血漿タンパク成分を残すことにより、血漿タンパク成分が、吸収された糖質による透析液の浸透圧の低下、即ち透析液の除水率の低下を補うことができる。よって、再生された透析液の再利用に際して、糖質の添加を不要に、又は添加量を減少させることができる。特に、糖質は体組織に悪影響を及ぼす可能性があるとも言われており、透析液が腹膜と直接接触する腹膜透析においては、腹膜炎及び被嚢性腹膜硬化症等の腹膜の疾患を引き起こす一因とも言われている。再生透析液に血漿タンパク成分を残すことにより、糖質の濃度が低いまま透析液として使用できるので、腹膜透析に付随する疾患の発生を低減できると考えられる。これにより、従来は５年〜７年といわれている腹膜透析の適用期間を延長し得る可能性がある。
また、半透膜１３の分画分子量が１００００〜１３０００の範囲内にあると、一般的な医療用半透膜（例えば、Ｉ型ダイアライザー(分画分子量１１８００)に使用されている半透膜）を利用することができる利点もある。
【００２６】
半透膜１３の分画分子量が１００００〜１３０００の場合、除水用の水溶液１５に溶解させる高分子化合物は、平均分子量が１５０００又はそれ以上（分画分子量１００００の場合の１．５倍又はそれ以上）のものを使用でき、２００００又はそれ以上（分画分子量１００００の場合の２倍又はそれ以上）であるのが好ましく、さらに２００００〜５００００（分画分子量１００００の２〜５倍）であるのがより好ましい。
【００２７】
高分子化合物としては、水溶性であって、生体安全性が確認されているものが望ましい。上述の通り、高分子化合物の平均重量分子量は分画分子量の１．５倍以上であるので、殆どの高分子化合物は半透膜１３を通過しない。しかしながら、微量の高分子化合物は半透膜１３を通過して、透析液に混入し得る。再生された透析液を腹膜透析等に使用する際に、透析液中の微量の高分子化合物が生体内に導入される可能性がある。よって、生体安全性が確認されていない、又は毒性のある高分子化合物は好ましくない。
【００２８】
好適な高分子化合物の具体例としては、ポリエチレングリコール(PEG)、ポリビニルピロリドン(PVP)、ポリエチレンオキサイド(PEO)、アクリル酸系ポリマー、多糖類、ムコ多糖類及び生物由来の蛋白質から選択される少なくとも１種である。多糖類としては、例えば、カルボキシメチルセルロース、スクラロース等が挙げられる。ムコ多糖類としては、例えば、ヒアルロン酸、コンドロイチン硫酸、ヘパリン等が挙げられる。生物由来の蛋白質としては、例えば、アルブミン、グロビン、グロブリン等が挙げられる。
特に、水溶性ポリエチレングリコール(PEG)が好ましく、所望の分子量（例えば分子量２００００）を有し、分子量分布の狭いものが入手しやすく、且つ生体安全性が確認されているので好ましい。
【００２９】
除水用の水溶液１５の高分子化合物濃度は、一般に、使用前の濃度（つまり初期濃度）が１０重量％以上であるのが好ましく、１０〜５０重量％であるとより好ましく、１０〜３０重量％であるのが特に好ましく、使用済み透析液から適切な除水を行うことができる。
高分子化合物として、分子量２００００のポリエチレングリコールを用いた水溶液１５の場合には、５ｍｍｏｌ／Ｌ（１０重量％）以上であるのが好ましく、５〜２５ｍｍｏｌ／Ｌ（１０〜５０重量％）であるとより好ましく、５〜１５ｍｍｏｌ／Ｌ（１０〜３０重量％）であるのが特に好ましい。
【００３０】
除水用の水溶液１５は、ポリスチレンスルホン酸ナトリウム等のカリウム除去剤を含有しているのが好ましい。血液中のカリウム濃度が高い患者（高カリウム血症）の場合、心停止等の命にかかわる状態になり得るため、迅速にカリウム濃度を低下させる必要がある。そのため、透析液のカリウム濃度をできるだけ低くして、血液中からのカリウム除去能を高めるのが望ましい。そこで、水溶液１５にカリウム除去剤を添加することにより、使用済み透析液からカリウムをより多く除去することができ、カリウム濃度の低い再生透析液を得ることができる。
【００３１】
以下に、除水器１０を用いた除水方法を説明する。
１．除水器１０の準備
半透膜１３を備えたケーシング１４を準備し、第２の区画１２に接続した上側のライン２５から矢印１２ａに沿って第２の区画１２内に除水用の水溶液１５を注入する。第２の区画１２は、中空糸状半透膜１３を取り囲んでいるので、第２の区画１２に水溶液１５は注入することにより、中空糸状半透膜１３の外面全体と接触することになる。
【００３２】
次に、除水器１０の第１の区画１１に、使用済み透析液を連続的に供給する。使用済み透析液は、第１のライン２１から矢印１１ａ方向に供給される。第１の区画１１で、使用済み透析液中の水の一部分は、除水用の水溶液１５の浸透圧によって、半透膜１３を通って、第２の区画１２内の水溶液１５に移動する。水の移動量は、水溶液１５の高分子化合物濃度と、使用済み透析液の流量によって制御することができる。
使用済み透析液の流量は、５ｍｌ／分以上であるのが好ましく、１０ｍｌ／分以上であるのがより好ましく、１０〜３０ｍｌ／分であるのが特に好ましい。この範囲の流量であると、水溶液１５の初期濃度が１０重量％以上の場合に、適切な除水効果を得ることができる。
【００３３】
そして、第１の区画１１から、除水済みの透析液（再生透析液）を、第２のライン２２へと矢印１１ｂ方向に連続的に排出する。
第２のライン２２から排出された再生透析液は、そのまま透析に使用してもよく、又は透析により好都合な組成となるように添加物を添加してから透析に使用することもできる。添加物としては、例えば、除水量が多すぎた場合には水を添加して、透析に適した糖質濃度にすることもできる。また、糖質濃度は低すぎる場合には、糖質を添加することもできる。
【００３４】
なお、除水によって除水用の水溶液１５の体積が増加するので、体積増加分に相当する量の水溶液１５を第２の区画１２から排出する必要がある。例えば、第２の区画１２に接続した下側のライン２４は、水溶液１５が流出しないように通常はクランプ等で閉止されているが、そのクランプを適宜開放することにより、増量分の水溶液１５を排出することができる。なお、クランプの締結の程度に応じてラインの開放の程度を調節できる場合には、クランプの締結の程度を調節して、少量の水溶液１５がライン２４から連続的に排出されるようにしてもよい。
また、水溶液１５は、使用済み透析液からの除水によって、高分子化合物の濃度が徐々に低下する。そして、水溶液１５の浸透圧が、使用済み透析液の浸透圧と等しくなった場合には、除水器１０は使用済み透析液から除水することができなくなる。そのため、所定量の使用済み透析液（例えば、腹膜透析１回分相当の使用済み透析液）の除水を行った後に、使用済みの水溶液１５を新しい水溶液１５と交換する。これにより、除水器１０で使用済み透析液を再び除水することができる。水溶液１５を交換する際には、使用済みの水溶液１５を第４のライン２４から排出し、完全に排出が終わった後に、新しい水溶液１５を第５のライン２５から流入させる。
【００３５】
＜実施の形態２＞
本実施の形態では、実施の形態１の除水器１０を用いた透析液再生システムについて説明する。
図２は、腹膜透析で使用される透析液再生システム２０の例を示している。透析液再生システム２０は、実施の形態１に係る除水器１０と、除水器１０で除水された透析液５２を貯留するためのリザーバー２６とを含んでいる。さらに、透析液再生システム２０は、透析液を流すための複数のラインを備えている。第１のライン２１は、透析領域（図２では腹腔）９０から流出した使用済み透析液５１を、除水器１０のケーシング１４の第１の区画１１に流入させる。第２のライン２２は、第１の区画１１から排出される除水済み透析液５２を、リザーバー２６に流入させる。そして、第３のライン２３は、リザーバー２６から除水済み透析液（再生透析液）５２を腹腔９０に流入させる。
【００３６】
本実施形態に係る透析液再生システム２０は、腹腔９０を起点として、除水器１０及びリザーバー２６をラインで直列に接続し、再び腹腔９０に戻ってくる形態となる。つまり、透析液再生システム２０は、腹腔９０内の使用済み透析液５１を除水器１０で除水し、再生透析液５２として腹腔９０に戻すまでの間に外気に露出されることのない、いわゆる閉回路を構成している。よって、透析液が再生中に汚染されるおそれが少ない。
第１のライン２１には、必要に応じてで、フィルター３２を設置することができる。これにより、フィブリンの凝集体等を除去して、除水器１０の半透膜１３が目詰まりを起こすのを防止できる。
なお、本実施の形態では、腹腔９０で行う腹膜透析を例として透析液再生システム２０を説明するが、腹腔９０の代わりにダイアライザーをつなぐことにより、透析処理に用いた透析液から除水して、透析液を再生することにより、血液透析にも透析液再生システム２０を用いることができる。つまり、透析液再生システム２０は、透析領域（透析を行っている領域であり、腹膜透析では腹腔９０、血液透析ではダイアライザーである）に接続することにより、閉回路を構成することのできる透析液再生システム２０である。
【００３７】
透析液再生システム２０は、さらに、２つのライン（下側のライン２４（本実施の形態では、第４のライン２４と称する）、上側のライン２５（本実施の形態では、第５のライン２５と称する））を含むことができる。第４のライン２４は、ケーシング１４の第２の区画１２から、使用済みの水溶液１５ｂを排出する。第５のライン２５は、第２の区画１２に未使用の水溶液１５ａを注入する。
第５のライン２５には、未使用の水溶液１５ａが充填された１又は２以上のカートリッジ２７（図３では，２つのカートリッジ２７１、２７２）を接続することができる。これにより、除水器１０の水溶液１５の交換を簡便に行うことができる。カートリッジ２７には、第２の区画１２を満たすのに十分な量（例えば、５０ｍｌ）の未使用の水溶液１５ａが充填されている。
図３に詳細に示すように、カートリッジ２７を複数備えるときは、第５のライン２５を複数に分岐して（図３では、第１分岐ライン２５１、第２分岐ライン２５２）、それぞれにカートリッジ２７１、２７２を接続することができる。各分岐ラインは、バルブとしてのクランプ２９（２９１、２９２）によって閉止されている。
図２に示すように、第４のライン２４は、廃液タンク３０に接続されてもよい。
【００３８】
透析液再生システム２０は、さらに、リザーバー２６に貯留された除水済み透析液５２に所望の成分を添加するための成分添加手段２８（２８１〜２８３）を含むことができる。添加成分の例としては、水、糖質、乳酸、酢酸、重曹等の緩衝物質、ナトリウム、カルシウム、マグネシウム、塩素等の電解質等が挙げられる。例えば、除水器１０での除水量が多すぎて、除水済み透析液５２中の糖質等の濃度が高すぎる場合には、適度な濃度になるように、水を添加することができる。また、腹膜透析中に、透析液中の糖質が吸収された結果、除水済み透析液５２の除水能が十分ではない場合には、糖質を添加することができる。
成分添加手段により、除水済み透析液５２の組成を、透析に適したものに近づけることができる。
【００３９】
透析液再生システム２０は、さらに、除水器１０等をプライミングするためのプライミングラインを備えることができる。プライミングラインは、第１のライン２１から分岐し、前記第１の区画１１にプライミング液４０を流入するためのプライミング液流入ライン４１と、第２のライン２２から分岐し、第１の区画１１を通過したプライミング液４０を排出するためのプライミング液排出ライン４２とを含んでもよい。第１のライン２１と第１の区画１１は、使用済み透析液５１が流れる経路であり、そのためそれらの内面には、使用済み透析液５１に含まれるカリウム及び毒素が付着している。そこで、プライミング液４０により、第１のライン２１の一部と第１の区画１１とをプライミングすることにより、カリウムや毒素を洗い流して、透析の効果を向上することができる。
【００４０】
次に、透析液再生システム２０を用いた透析液の再生方法を説明する。
１．腹腔９０内の使用済み透析液５１の排出
腹膜透析を行った後、腹壁に設置されたカテーテル９２を通して、腹腔９０から使用済み透析液５１を排出する（図２）。なお、カテーテル９２は、透析液を腹腔９０内に流入する場合にも、腹腔９０内から排出する場合にも使用するため、Ｙ字コネクタを介して、２つのライン（排出用の第１のライン２１、流入用の第３のライン２３）が接続されている。
使用済み透析液５１は、矢印Ａに沿って、第１のライン２１から排出される。このとき、除水器１０をカテーテル９２の位置より低くすることにより、ポンプ等を使用することなく、使用済み透析液５１を腹腔９０から排出することができる。
使用済み透析液５１は、フィルター３２を通ってフィブリンの凝集体等がろ過される。
【００４１】
２．使用済み透析液５１の除水
実施の形態１で詳述したように、除水器１０の第１の区画１１に使用済み透析液５１を連続的に供給することにより、使用済み透析液５１中の水の一部分は、半透膜１３を通って、第２の区画１２内の水溶液１５に移動する（図２、図３）。また、水が移動する際に、使用済み透析液５１に含まれていたカリウム及び低分子量の毒素（尿素、クレアチニン等）も半透膜１３を通って水溶液１５に移動する。
【００４２】
３．リザーバー２６への貯留
除水器１０で除水された透析液（つまり再生透析液）５２を、除水器１０の第１の区画１１から、矢印１１ｂに沿って第２のライン２２へと排出し、そしてリザーバー２６に貯留する（図２）。腹腔９０内の使用済み透析液５１が全て除水されて、リザーバー２６に貯留されたら、除水器１０での除水処理が完了する。得られた除水済み透析液５２は、
必要に応じて、成分添加手段２８から、リザーバー２６内の除水済み透析液５２に、所望の成分を添加することができる。
【００４３】
４．除水済み透析液５２の腹腔９０への流入
リザーバー２６に貯留された除水済み透析液５２を、矢印Ｂに沿って、第３のライン２３を通して腹腔９０に流入させる（図２）。このとき、リザーバー２６をカテーテル９２位置より高くすることにより、ポンプ等を使用することなく、除水済み透析液５２を腹腔９０に流入させることができる。
【００４４】
このように、本実施の形態の透析液再生システム２０を用いた透析液再生方法は、閉回路内で再生した透析液を一旦貯留し、その後に腹腔９０に戻すことができる。
また、透析液再生方法は、さらに以下の工程を含むことができる。
【００４５】
５．水溶液１５の交換
使用済み透析液５１の除水が完了したら、除水器１０の第２の区画１２に保持されている使用済みの水溶液１５ｂを、矢印１２ｂに沿って第４のライン２４に排出する（図３）。使用済みの水溶液１５ｂは、第４のライン２４に接続された廃液タンク３０に貯蔵される（図２）。
第２の区画１２に保持されていた使用済みの水溶液１５ｂのすべてを排出したら、第５のライン２５の第１分岐ライン２５１を閉鎖している第１のクランプ２９１を開放して、第１のカートリッジ２７１内に充填された未使用の水溶液１５ａを、第２の区画１２に充填する。未使用の水溶液１５ａが充填された除水器１０は除水能が復活するので、次回の透析液の除水処理に使用することができる。
【００４６】
カートリッジ２７を複数（図２、図３では２つ）備えている場合には、水溶液１５の交換を２回行うことができる。１回目の交換では、上述した通り、第１のカートリッジ２７１内に充填された未使用の水溶液１５ａを使用する。２回目の交換では、第２のカートリッジ２７２内に充填された未使用の水溶液１５ａを使用する。
２回目の交換も、実質的に１回目の交換と同様である。まず、第２の区画１２に保持されている使用済みの水溶液１５ｂを、矢印１２ｂに沿って第４のライン２４に排出する。第２の区画１２に保持されていた使用済みの水溶液１５ｂのすべてを排出したら、第５のライン２５の第２分岐ライン２５２を閉鎖している第２のクランプ２９２を開放して、第２のカートリッジ２７２内に充填された未使用の水溶液１５ａを、第２の区画１２に充填する。
このように、複数のカートリッジ２７を備えていることにより、未使用の水溶液１５ａを別途準備せずに、複数回に亘る除水処理を行うことができる。
【００４７】
６．透析液再生システム２０のプライミング
使用済み透析液５１が流通した経路をプライミングして、経路上に残留しているカリウム及び毒素を洗い流すのが好ましい。プライミング液４０が流れるプライミング経路は、プライミング液流入ライン４１から、第１のライン２１、第１の区画１１、第２のライン２２を通り、プライミング液排出ライン４２までである。このプライミング経路を閉鎖している２つのクランプ（プライミング液流入ライン４１を閉止する第３のクランプ２９３と、プライミング液排出ライン４２を閉止する第４のクランプ２９４）を開放した後に、プライミング液４０をプライミング液流入ライン４１に流入する。なお、プライミング液排出ライン４２を廃液タンク３０に接続して、使用済みのプライミング液４０を廃液タンク３０に廃棄してもよい。
【００４８】
以下に、本実施の形態１〜２に係る除水器１０及び透析液再生システム２０に適した材料について説明する。
（半透膜１３）
半透膜１３は、所望の分画分子量（例えば１００００〜３００００の範囲のいずれかの分画分子量）を有する市販のダイアライザーの透析用の膜を、半透膜として使用することができる。
半透膜１３の材料としては、例えば、再生セルロース、セルローストリアセテート等のセルロース系材料、ポリアクリロニトリル、ポリメチルメタクリレート、ポリスルホン、ポリエーテルスルホン、エチレンビニルアルコール共重合体、ポリエステル系ポリマーアロイ等の合成高分子系が利用できる。
半透膜１３の形態としては、中空糸状、平織り膜状、プリーツ状、渦巻き状等を採用することができる。なお、図１等では、１本の中空糸状半透膜１３を例示しているが、多数の極細中空糸を並列に配置して使用するのが好ましい。
【００４９】
（水溶液１５）
本明細書で使用される水溶液１５は、少なくとも高分子化合物を含有する水溶液である。高分子化合物として、ポリマーを使用することができる。
好適な高分子化合物の具体例としては、ポリエチレングリコール(PEG)、ポリビニルピロリドン(PVP)、ポリエチレンオキサイド(PEO)、アクリル酸系ポリマー、多糖類、ムコ多糖類及び生物由来の蛋白質から選択される少なくとも１種である。多糖類としては、例えば、カルボキシメチルセルロース、スクラロース、ヒドロキシプロピルセルロース、デキストリン等が挙げられる。ムコ多糖類としては、例えば、ヒアルロン酸、コンドロイチン硫酸、ヘパリン等が挙げられる。生物由来の蛋白質としては、例えば、アルブミン、グロビン、グロブリン等が挙げられる。
水溶液１５には、さらに、カリウム除去剤（ポリスチレンスルホン酸ナトリウム等）を添加することもできる。
【００５０】
（第１〜第５のライン２１〜２５）
第１〜第５のライン２１〜２５は、軟質チューブから形成されており、クランプ等によって外側から挟んで閉鎖することができる。チューブ用の材料としては、例えば、シリコーンゴム、ポリ塩化ビニル(PVC)、ポリエチレン(PE)、ポリプロピレン(PP)等が利用できる。
【００５１】
（プライミング液４０）
プライミング液としては、水溶性毒素等を流すことのできる水溶液を用いることができ、例えば生理食塩水、糖液が好適である。
【実施例１】
【００５２】
＜除水器１０による水及びカリウムの除去率の測定実験＞
図１に示すような除水器１０を用いて、使用済み透析液５１からの水とカリウムの除去率を測定した。
除水器１０として、血液透析用ダイアライザー（川澄化学工業株式会社製 ホローファイバー ダイアライザー KF-201シリーズ (KF-20)、分画分子量１１８００）の第２の区画に、３０重量％ポリエチレングリコール（分子量２００００）の水溶液（カリウム除去剤として扶桑薬品工業株式会社製 カリセラム-Na末を２ｇ添加（４％）添加）５０ｍｌ保持させたものを使用した。
使用済み透析液５１として、透析液（バクスター社、（エクストラニール腹膜））１３５ｍｌに、水１６５ｍｌ、塩化カリウム２．２３７ｇ（１００ｍｍｏｌ／Ｌ）を添加した擬似的な使用済み透析液（モデル液、以下「測定用溶液」と称する）を用いた。実験に使用した測定用溶液の全量（１３５ｍｌ＋１６５ｍｌ＝３００ｍｌ）のうち、追加した水（１６５ｍｌ）の割合は５５％であった。
使用済み透析液５１は、流量２０ｍｌ／分で除水器１０の第１の区画１１を通過した。
【００５３】
除水器１０に流入する前（つまり、再生前の）測定用溶液と、除水器１０を通過した後の（つまり再生された）測定用溶液とについて、全重量と、カリウム濃度とを測定した。除水前後の全重量の差を、除水前の重量で割ったものを「水の除去率（％）」とした。また、除水前後のカリウム濃度の差を、除水前のカリウム濃度で割ったものを「カリウムの除去率（％）」とした。
測定結果を図４に示す。
【００５４】
水の除去率は約４５％（約１３５ｍｌ）、カリウムの除去率は約８５％であった。水の除去率の結果から、測定用溶液の調製時に追加された水（１６５ｍｌ）の約８２％に相当する水を除去できたことがわかった。これにより、透析液の浸透圧が上昇して透析液の除水能が回復して、再利用可能な再生透析液が得られた。
また、カリウムの除去率は十分に高く、再使用可能な程度までカリウム濃度を低減できることがわかった。
【実施例２】
【００５５】
＜透析液再生システム２０による水及びカリウムの除去率の測定実験＞
図２に示すような透析液再生システム２０を用いて、使用済み透析液５１からの水とカリウムの除去率を測定した。
除水器１０は、実施例１と同じものを使用した。また、使用済み透析液５１は、実施例１と同じ測定用溶液を使用した。２つのカートリッジ２７１、２７２には、未使用の除水用の水溶液１５ａをそれぞれ５０ｍｌ封入した。
【００５６】
１回目の実験（実験No.I）は、実施例１と同じ条件で行った。
２回目の実験（実験No.II）は、使用済みの水溶液１５ｂを、第１のカートリッジ２７１（図３）内の未使用の水溶液１５ａと交換した後に、１回目と同じ条件で除水実験を行った。
３回目の実験（実験No.III）は、使用済みの水溶液１５ｂを、第２のカートリッジ２７２内の未使用の水溶液１５ａと交換した後に、１回目と同じ条件で除水実験を行った。
除去率の計算は、実施例１と同様とした。
測定結果を図５に示す。
【００５７】
水の除去率は約５０％〜約４２％（１５０〜１２６ｍｌ）であり、測定用溶液の調製時に追加された水（１６５ｍｌ）の約９１〜７６％に相当する水を除去できたことがわかった。これにより、透析液の浸透圧が上昇して透析液の除水能が回復して、再利用可能な再生透析液が得られた。
また、カリウム除去率は、約６８〜９５％とばらつきがあったが、平均すると約８０％であり、カリウムの除去率は十分に高く、再使用可能な程度までカリウム濃度を低減できることがわかった。
【符号の説明】
【００５８】
１０  除水器
１１  第１の区画
１２  第２の区画
１３  半透膜
１４  ケーシング
１５  除水用の水溶液
２０  透析液再生システム
２１、２２、２３、２４、２５  ライン
２６  リザーバー
２７  カートリッジ
２９１、２９２、２９３、２９４  クランプ
４０  プライミング液
９０  腹腔
【図１】
2015205092.tif 000003
【図２】
2015205092.tif 000004
【図３】
2015205092.tif 000005
【図４】
2015205092.tif 000006
【図５】
2015205092.tif 000007